(57)【要約】    【課題】      アダプティブアレイを備える無線通信装置の位相制御の精度を向上させること。    【解決手段】  通信系アンテナ共用器１０３−１〜１０３−ｎは、複数の送信信号の送信と複数の受信信号の受信へ、アンテナを共用させ、送信方向性結合器１０４−１〜１０４−ｎは、アンテナ共用器１０３−１〜１−１０３−ｎを通過した複数の送信信号それぞれから送信系位相校正用信号を取り出し、受信方向性結合器１１０−１〜１１０−ｎは、前記アンテナ共用器１０３−１〜１０３−ｎを通過した複数の受信信号それぞれから受信系位相校正用信号を取り出し、キャリブレーション制御部１４０は、前記送信系位相校正用信号を用いて前記複数の送信信号の位相を制御し、前記受信系位相校正用信号を用いて前記複数の受信信号の位相を制御する。  【選択図】      図１
2006087048.tif 000002
【特許請求の範囲】
【請求項１】
複数のアンテナと、
複数の送信信号の送信と複数の受信信号の受信へ、前記アンテナを共用させる通信系アンテナ共用器と、
前記アンテナ共用器を通過した複数の送信信号それぞれから送信系位相校正用信号を取り出す送信方向性結合器と、
前記アンテナ共用器を通過した複数の受信信号それぞれから受信系位相校正用信号を取り出す受信方向性結合器と、
前記送信系位相校正用信号を用いて前記複数の送信信号の位相を制御し、前記受信系位相校正用信号を用いて前記複数の受信信号の位相を制御するキャリブレーション制御手段と、
を備えることを特徴とする無線通信装置。
【請求項２】
基準信号を発信する基準信号手段と、
前記送信系位相校正用信号の出力と前記基準信号の出力とで、前記送信方向性結合器を共用するためのキャリブレーション系アンテナ共用器と、
を更に備え、
前記基準信号は、前記キャリブレーション系アンテナ共用器、前記送信方向性結合器、前記通信系アンテナ共用器、及び、前記受信方向性結合器を経由して、前記キャリブレーション制御手段へ到達し、
前記キャリブレーション制御手段は、到達した基準信号を用いて、前記複数の受信信号の位相を制御すること特徴とする請求項１記載の無線通信装置。
【請求項３】
温度を感知する温度センサを、更に備え、
前記キャリブレーション制御手段は、感知された温度の変化を検出し、温度変化が所定の範囲を超えた場合に、前記複数の送信信号と前記複数の受信信号との少なくともいずれかの位相を制御することを特徴とする請求項１または請求項２記載の無線通信装置。
【請求項４】
アンテナ共用器を通過した複数の送信信号それぞれから送信系位相校正用信号を取り出し、
前記送信系位相校正信号を用いて前記複数の送信信号の位相を制御し、
前記アンテナと前記アンテナ共用器とを通過した複数の受信信号それぞれから受信系位相校正用信号を取り出し、
前記受信系位相校正用信号を用いて前記複数の受信信号の位相を制御することを特徴とする位相制御方法。
【発明の詳細な説明】
【技術分野】
【０００１】
本発明は、指向性を変化させることのできるアダプティブアレイアンテナ方式の無線通信装置に関する。
【背景技術】
【０００２】
従来、アレイアンテナ無線通信装置は特許文献１に記載されたものが一例として知られている。
【０００３】
従来、アダプティブアレイ方式の無線通信装置は複数の無線部で受信した信号の位相と振幅の情報を用いて、装置のアンテナ指向性を制御し、信号対干渉波比を向上させる構成をとっており、これにより周波数利用効率や通信品質を向上させることができる。
【特許文献１】特開２０００-１５１２５５号公報
【発明の開示】
【発明が解決しようとする課題】
【０００４】
しかしながら、従来の無線通信装置は、位相校正を行う信号を取り出す、送信方向性結合器及び受信方向性結合器は、送受信におけるアンテナを共有させる通信系アンテナ共用器とアンテナの間に配置されていなかった。従って、送信系の位相校正は、通信系アンテナ共用器で生じる位相変動を含めて位相校正することができず、アダプティブアレイ性能を充分活かすことができなかった。
【０００５】
上記の点を改善するために、無線通信装置は、送信方向性結合器及び受信方向性結合器は、通信系アンテナ共用器とアンテナの間に配置する改善がなされた。この場合、受信系の位相校正は、通信系アンテナ共用器で生じる位相変動を含めて位相校正をすることができず、やはり、アダプティブアレイ性能を充分活かすことができなかった。
【０００６】
本発明は、かかる点に鑑みてなされたものであり、高精度の指向性の制御ができるアダプティブアレイを備える無線通信装置及び位相制御方法を提供することを目的とする。
【課題を解決するための手段】
【０００７】
本発明の無線通信装置は、複数のアンテナと、複数の送信信号の送信と複数の受信信号の受信へ、前記アンテナを共用させる通信系アンテナ共用器と、前記アンテナ共用器を通過した複数の送信信号それぞれから送信系位相校正用信号を取り出す送信方向性結合器と、前記アンテナ共用器を通過した複数の受信信号それぞれから受信系位相校正用信号を取り出す受信方向性結合器と、前記送信系位相校正用信号を用いて前記複数の送信信号の位相を制御し、前記受信系位相校正用信号を用いて前記複数の受信信号の位相を制御するキャリブレーション制御手段と、を備える構成を採る。
【発明の効果】
【０００８】
本発明によれば、高精度の指向性の制御ができるアダプティブアレイを備える無線通信装置及び位相制御方法を提供することができる。特に、通信アンテナ共用器自体の位相変動をも考慮に入れた位相補正をすることを可能にし、位相校正の精度を向上させることができる。
【発明を実施するための最良の形態】
【０００９】
以下、本発明の実施の形態について、図面を参照して詳細に説明する。
【００１０】
（実施の形態１）
図１は、本発明の実施の形態１のアダプティブアレイアンテナを有する無線通信装置の構成の一例を示した図である。
【００１１】
図１に示すように、本実施の形態の無線通信装置は、送信ベースバンド部（以下、「送信ＢＢ部」と記す）１０１−１〜１０１−ｎ、通信系送信部１０２−１〜１０２−ｎ、通信系アンテナ共用器１０３−１〜１０３−ｎ、送信方向性結合器１０４−１〜１０４−ｎ、アンテナ（図中は、ＡＮＴと表示）１０５−１〜１０５−ｎ、受信方向性結合器１１０−１〜１１０−ｎ、通信系受信部１１１−１〜１１１−ｎ、受信ベースバンド部（以下、「受信ＢＢ部」と記す）１１２−１〜１１２−ｎ、送信スイッチ１２０、送信キャリブレーション系受信部（以下、「送信ＣＡＬ系受信部」と記す）１２１、受信スイッチ１２２、受信キャリブレーション系受信部（以下、「受信ＣＡＬ系受信部」と記す）１２３、及び、キャリブレーション制御部（以下、「ＣＡＬ制御部」と記す）１４０を備える。
【００１２】
なお、送信ＢＢ部１０１−１〜１０１−ｎが生成したベースバンド信号がアンテナ１０５−１〜１０５−ｎから送信されるまでの信号を総称して、送信信号ということがある。また、アンテナ１０５−１〜１０５−ｎが受信し、受信ＢＢ部１１２−１〜１１２−ｎへ到達するまでの信号を総称して受信信号ということがある。
【００１３】
送信ＢＢ部１０１−１〜１０１−ｎは、変調するＩ信号及びＱ信号等のベースバンド信号を生成するものであり、例えば、信号処理装置等が利用できる。
【００１４】
通信系送信部１０２−１〜１０２−ｎは、ベースバンド信号を所要の信号レベルの高周波信号へ増幅及び周波数変換する。例えば、高周波送信機が利用できる。
【００１５】
通信系アンテナ共用器１０３−１〜１０３−ｎは、アンテナから受信した高周波信号（受信信号）を送信系に影響させずに受信系に伝えるとともに、送信系からの高周波信号（送信信号）を受信系に影響しないようにアンテナ側に伝えるためのフィルターを備える。例えば、デュプレクサ等が利用できる。通信系アンテナ共用器１０３−１〜１０３−ｎは、送受信でアンテナを共有させるために配置される。
【００１６】
送信方向性結合器１０４−１〜１０４−ｎ及び受信方向性結合器１１０−１〜１１０−ｎは、高周波信号の一部を取り出す。例えば方向性結合器等が利用できる。送信方向性結合器１０４−１〜１０４−ｎは、通信系アンテナ共用器１０３−１〜１０３−ｎよりアンテナ側、すなわち、通信系アンテナ共用器１０３−１〜１０３−ｎとアンテナ１０５−１〜１０５−ｎとの間に設けられる。受信方向性結合器１１０−１〜１１０−ｎは、通信系アンテナ共用器１０３−１〜１０３−ｎと通信系受信部１１１−１〜１１１−ｎとの間に設けられる。送信方向性結合器１０４−１〜１０４−ｎが送信信号から取り出す信号を送信系位相校正用信号、受信方向性結合器１１０−１〜１１０−ｎが受信信号から取り出す信号を受信系位相校正信号という。
【００１７】
アンテナ１０５−１〜１０５−ｎは、送信信号を送信し、受信信号を受信する。
【００１８】
通信系受信部１１１−１〜１１１−ｎは、高周波信号を所要の信号レベルまで増幅及び周波数変換する。例えば、高周波受信機が利用できる。通信系受信部１１１−１〜１１１−ｎは、前記受信方向性結合器１１０−１〜１１０−ｎのアンテナ側から入力される信号が通過する出力信号を増幅する。
【００１９】
受信ＢＢ部１１２−１〜１１２−ｎは、通信系受信部１１１−１〜１１１−ｎで復調されたＩ信号及びＱ信号等のベースバンド信号を受信処理するものである。例えば、信号処理装置等が利用できる。
【００２０】
送信スイッチ１２０及び受信スイッチ１２２は、複数の出力端子の中の任意の１端子を選択できるようなスイッチである。例えば高周波スイッチが利用できる。送信スイッチ１２０は、通信系アンテナ共用器１０３−１〜１０３−ｎ側から入力される信号が出力される方向性のある出力端子からの信号を切り換え選択する。受信スイッチ１２２は、受信方向性結合器１１０−１〜１１０−ｎのアンテナ側から入力される信号が出力される方向性のある出力端子からの信号を切り換え選択する。
【００２１】
送信ＣＡＬ系受信部１２１及び受信ＣＡＬ系受信部１２３は、高周波信号を所要の信号レベルまで増幅及び周波数変換（受信処理）する。例えば、高周波受信機が利用できる。送信ＣＡＬ系受信部１２１は、送信スイッチ１２０の出力を受信処理する。受信ＣＡＬ系受信部１２３は、受信スイッチ１２２の出力を受信処理する。
【００２２】
ＣＡＬ制御部１４０は、送受信系の位相校正に関する制御を行なう。例えば、信号処理装置等が利用できる。
【００２３】
以上のように構成されたアダプティブアレイアンテナを有する無線通信装置について、図１を用いて先ず送信系の動作を説明する。
【００２４】
無線通信装置は、送信ＢＢ部１０１−１〜１０１−ｎから出力されるベースバンド信号を通信系送信部１０２−１〜１０２−ｎにて直交変調、周波数変換、増幅等の処理を行ない高周波信号へ変換して通信系アンテナ共用器１０３−１〜１０３−ｎに出力する。続いて、通信系アンテナ共用器１０３−１〜１０３−ｎは、前記高周波信号を帯域制限し、送信方向性結合器１０４−１〜１０４−ｎは、帯域制限された高周波信号を送信方向性結合器１０４−１〜１０４−ｎのロス分だけ減衰し通過させ、アンテナ１０５−１〜１０５−ｎから送信する。
【００２５】
次に、各送信系ブランチ間の位相誤差の校正について説明する。送信方向性結合器１０４−１〜１０４−ｎそれぞれは、帯域制限された高周波信号と同じ信号を送信系位相校正用信号として取り出し、送信スイッチ１２０は、送信系ブランチ毎に順番に切り換え、送信系ブランチ毎の送信系位相校正用信号を送信ＣＡＬ系受信部１２１に出力する。送信ＣＡＬ系受信部１２１は、周波数変換や直交復調等の処理を行ない、処理した送信系ブランチ毎の送信系位相校正用信号をＣＡＬ制御部１４０に出力する。
【００２６】
ＣＡＬ制御部１４０は、各送信ＢＢ部１０１−１〜１０１−ｎにおいて予め重み付けされた送信系ブランチ毎の位相差を把握している。ＣＡＬ制御部１４０は、処理した上記送信系ブランチ毎の送信系位相校正用信号から、重みづけされた送信系ブランチ毎の位相差を差し引いた位相誤差を算出する。これにより、ＣＡＬ制御部１４０は、位相変化分を基準とした複数の送信系ブランチ間の位相誤差を算出することができる。ＣＡＬ制御部１４０は、算出した位相誤差を送信ＢＢ部１０１−１〜１０１−ｎへ通知する。送信ＢＢ部１０１−１〜１０１−ｎは、通知された位相誤差を用いてベースバンド信号の位相を調整することにより、複数の送信系ブランチ間の位相誤差を補正する。
【００２７】
例えば、送信ＢＢ部１０１−１〜１０１−ｎから各送信ブランチに対して、位相情報（位相差）がそれぞれ、１度、３度、５度の位相情報をもつベースバンド信号を出力したとする。しかし、送信方向性結合器１０４−１〜１０４−ｎを経由し、送信ＣＡＬ系受信部１２１を経由してＣＡＬ制御部１４０にて得られた各送信ブランチの位相情報がそれぞれ、０度、２度、４度の位相情報をもつ信号に変動している場合、ＣＡＬ制御部１４０は、送信ＢＢ部１０１−１〜１０１−ｎに対して、各送信ブランチの位相情報を一律１度上げるように指示する。
【００２８】
次に、受信系の動作を説明する。無線通信装置は、アンテナ１０５−１〜１０５−ｎにて受信信号を受信し、送信方向性結合器１０４−１〜１０４−ｎは、受信信号を送信方向性結合器１０４−１〜１０４−ｎのロス分だけ減衰し通過させ、通信系アンテナ共用器１０３−１〜１０３−ｎに出力する。通信系アンテナ共用器１０３−１〜１０３−ｎは、入力した受信信号の受信帯域を帯域制限し、受信方向性結合器１１０−１〜１１０−ｎに出力する。受信方向性結合器１１０−１〜１１０−ｎは、入力した受信信号を受信方向性結合器１１０−１〜１１０−ｎのロス分だけ減衰し通過させ、通信系受信部１１１−１〜１１１−ｎに出力する。通信系受信部１１１−１〜１１１−ｎは、周波数変換や直交復調等の処理を行ない、受信ＢＢ部１１２−１〜１１２−ｎに出力し、受信ＢＢ部１１２−１〜１１２−ｎは、受信処理を行なう。
【００２９】
次に、各受信系ブランチ間の位相誤差の校正について説明する。無線通信装置は、受信信号と同じ信号を受信系位相校正用信号として受信方向性結合器１１０−１〜１１０−ｎそれぞれから取り出し、受信スイッチ１２２にて各受信系ブランチを順番に切り換え、受信系ブランチ毎の受信系位相校正用信号を受信ＣＡＬ系受信部１２３に出力する。受信ＣＡＬ系受信部１２３は、周波数変換や直交復調等の処理を行ない、処理した受信系ブランチ毎の受信系位相校正用信号をＣＡＬ制御部１４０に出力する。
【００３０】
ＣＡＬ制御部１４０は、各通信系受信部１１１−１〜１１１−ｎを通過させて得た受信系ブランチ間の位相差を予め把握している。ＣＡＬ制御部１４０は、受信系ブランチ毎の受信系位相校正用信号から予め把握している受信ブランチ間の位相差を差し引いた位相誤差を算出する。ＣＡＬ制御部１４０は、位相変化分を基準とした複数の受信系ブランチ間の位相誤差を把握する事ができる。ＣＡＬ制御部１４０は、算出した位相誤差を受信ＢＢ部１１２−１〜１１２−ｎへ通知する。受信ＢＢ部１１２−１〜１１２−ｎは、通知された位相誤差を用いて受信信号の位相を調整することにより、複数の送信系ブランチ間の位相誤差を補正する。
【００３１】
例えば、通信系受信部１１１−１〜１１１−ｎを経由して受信ＢＢ部１１２−１〜１１２−ｎにて得られた各受信ブランチの位相情報がそれぞれ、１度、３度、５度の位相情報（位相差）をもつ信号だったとする。しかし、受信方向性結合器１１０−１〜１１０−ｎを経由し、受信ＣＡＬ系受信部１２３を経由してＣＡＬ制御部１４０にて得られた各受信ブランチの位相情報がそれぞれ、０度、２度、４度の位相情報をもつ信号に変動している場合、ＣＡＬ制御部１４０から受信ＢＢ部１１２−１〜１１２−ｎに対して、この場合、各受信ブランチの位相情報を一律１度上げるように指示する。
【００３２】
このように、本実施の形態の無線通信装置は、通信系アンテナ共用器１０３−１〜１０３−ｎを通過した送信信号から取り出した送信系位相校正用信号、或いは、アンテナ１０５−１〜１０５−ｎで受信され、通信系アンテナ共用器１０３−１〜１０３−ｎを通過した受信信号を受信系位相校正用信号として用いることができる。このため、通信系アンテナ共用器１０３−１〜１０３−ｎ自体の位相変動をも考慮に入れた位相補正をすることができ、位相校正の精度を向上させることができる。従って、より高精度な受信アダプティブアレイアンテナ性能が得られる。
【００３３】
（実施の形態２）
図２は、本発明の実施の形態２のアダプティブアレイアンテナを有する無線通信装置の構成の一例を示した図である。本実施の形態では、図１の無線通信装置の構成へ、キャリブレーション系アンテナ共用器（以下、「ＣＡＬ系アンテナ共用器」と記す）１２４と基準信号部１２５とが追加された無線通信装置について説明する。図１と同じ符号のものは、同じ名称、同様の機能を有するため説明を省略する。
【００３４】
ＣＡＬ系アンテナ共用器１２４は、送信スイッチ１２０から出力される信号を送受信で共有させるために配置され、前記送信系位相校正用信号の出力と前記基準信号の出力とで前記送信方向性結合器１０４−１〜１０４−ｎを共用するためのフィルターを備える。前記通信系アンテナ共用器１０３−１〜１０３−ｎと同様の機能を有する。例えば、デュプレクサ等が利用できる。
【００３５】
基準信号部１２５は、受信系位相校正用信号を発生させる。この実施の形態では、基準信号部１２５は、受信系位相校正用信号として受信信号と同じ信号を発生させるものである。例えば、周波数発振器等が利用できる。
【００３６】
実施の形態１で説明したように、受信ＣＡＬ系受信部１２３を用いた位相校正方法の場合、温度変化等の環境的変動によって、通信系アンテナ共用器１０３−１〜１０３−ｎ自体にて発生する位相変動が各受信系ブランチの位相誤差として含まれてしまう。この為、別途以下に記載する基準信号部１２５を用いた位相校正を定期的に実施することによって更に高精度な位相校正を実現する。ここでは、定期的基準信号位相校正方法と呼ぶ。
【００３７】
以下、定期的基準信号位相校正方法について説明する。先ず、定期的に受信系位相校正用信号を基準信号部１２５から出力する。ＣＡＬ系アンテナ共用器１２４にて受信帯域の帯域制限を行ない送信スイッチ１２０に出力する。送信スイッチ１２０では、各受信系ブランチを順番に切り換えて送信方向性結合器１０４−１〜１０４−ｎに出力する。送信方向性結合器１０４−１〜１０４−ｎでは、送信スイッチ１２０から来る受信系位相校正用信号の一部通過させ、通信アンテナ共用器１０３−１〜１０３−ｎに出力し、受信帯域の帯域制限を行ない受信方向性結合器１１０−１〜１１０−ｎに出力する。次に前記受信方向性結合器１１０−１〜１１０−ｎにおいて信号の一部を取り出し、受信スイッチ１２２に出力する。
【００３８】
受信スイッチ１２２にて各受信系ブランチを順番に切り換え、受信ＣＡＬ系受信部１２３に出力する。受信ＣＡＬ系受信部１２３では周波数変換や直交復調等の処理を行ない、ＣＡＬ制御部１４０に出力する。ＣＡＬ制御部１４０では、通信系アンテナ共用器１０３−１〜１０３−ｎ自体にて発生する位相変動による各通信系アンテナ共用器間の位相差を把握することができる。この各通信系アンテナ共用器１０３−１〜１０３−ｎ間の位相差を、受信ＢＢ部１１２−１〜１１２−ｎに伝え、補正することにより各受信系ブランチ間の位相の補正をより一層高精度なものにすることができる。
【００３９】
受信系の位相校正に関する一通りの流れは次のようになる。通常、各受信系は、前記受信ＣＡＬ系受信部１２３を用いた位相校正方法によって各受信系ブランチ間の位相補正を実施する。そこで、例えば１時間毎等のように、定期的に定期的基準信号位相校正方法によって各受信系ブランチ間の位相補正を実施することで、通信系アンテナ共用器１０３−１〜１０３−ｎ自体の位相変動をも考慮に入れた位相補正をすることができ、即ち、より高精度な受信アダプティブアレイアンテナ性能が得られる。
【００４０】
このように、本実施の形態の無線通信装置は、通信系アンテナ共用器１０３−１〜１０３−ｎのアンテナ１０５−１〜１０５−ｎ端側に、送信系の位相校正用に用いる回路と通信系アンテナ共用器１０３−１〜１０３−ｎの受信系側を校正するための基準信号部１２５が接続された送信方向性結合器１０４−１〜１０４−ｎを有する。さらに、通信系アンテナ共用器１０３−１〜１０３−ｎの受信系側の出力端側に受信系の校正用に用いる回路を接続した受信方向性結合器１１０−１〜１１０−ｎを設ける。これにより、送信系のロスを低減し、送信系の効率の低下を低減し、かつ複数のアンテナ共用器間の位相誤差を補正することができる。
【００４１】
（実施の形態３）
図３は、本発明の実施の形態３のアダプティブアレイアンテナを有する無線通信装置の構成の一例を示した図である。
【００４２】
図３に示すように、本実施の形態の無線通信装置は、温度センサ１５０を設け、ある一定以上の温度変化を検知し、基準信号を利用し位相補正を行う構成である。図３の無線通信装置の構成は、図２の構成に、温度センサ１５０を追加したものである。なお、図２と同じ符号のものは、同じ名称、同様の機能を有するため説明を省略する。また、図１の構成に温度センサ１５０を追加することも可能である。
【００４３】
温度センサ１５０は、温度を感知するものであり、例えば、電子温度センサ等が利用できる。
【００４４】
以上のように構成された無線通信装置について、図３を用いて説明する。本実施の形態の無線通信装置の送信系の動作、受信系の動作、各送信系ブランチ間の位相誤差の校正の動作、各受信系ブランチ間の位相誤差の校正の動作、定期的基準信号位相校正の動作は、実施の形態１及び実施の形態２と同様である。次に、実施の形態１及び実施の形態２と異なる動作を説明する。無線通信装置には、温度センサ１５０を備えてあるので、例えば、ＣＡＬ制御部１４０は、温度の変動を検出し、温度が１度変動する毎に、送信系及び受信系に関する位相校正、あるいは、基準信号を用いた受信系の位相校正を実施する。ＣＡＬ制御部１４０は、温度の変動が、所定の範囲を超えた場合に位相校正をするようにしてもよい。
【００４５】
このように、本実施の形態の無線通信装置は、温度センサ１５０を設け、ある一定以上の温度変化を検知し、基準信号を利用し位相補正を行う構成を有する。この構成により、位相補正回数を適正にし、信号処理量の削減が図ることができるものであり、更に高精度に、送受信の各ブランチ間の位相補正ができる。また、温度の変化による位相校正を実施することにより、位相校正の回数を適正にし、信号処理量の削減を図ることができる。
【産業上の利用可能性】
【００４６】
本発明に係る無線通信装置は、通信系アンテナ共用器自体の位相誤差を含めた位相校正ができるため、アダプティブアレイアンテナを有する無線通信装置の位相校正の精度を向上させるために用いるのに好適である。
【図面の簡単な説明】
【００４７】
【図１】本発明の実施の形態１のアダプティブアレイアンテナを有する無線通信装置の構成の一例を示した図
【図２】本発明の実施の形態２のアダプティブアレイアンテナを有する無線通信装置の構成の一例を示した図
【図３】本発明の実施の形態３のアダプティブアレイアンテナを有する無線通信装置の構成の一例を示した図
【符号の説明】
【００４８】
１０１−１〜１０１−ｎ  送信ＢＢ部
１０２−１〜１０２−ｎ  通信系送信部
１０３−１〜１０３−ｎ  通信系アンテナ共用器
１０４−１〜１０４−ｎ  送信方向性結合器
１０５−１〜１０５−ｎ  アンテナ
１１０−１〜１１０−ｎ  受信方向性結合器
１１１−１〜１１１−ｎ  通信系受信部
１１２−１〜１１２−ｎ  受信ＢＢ部
１２０  送信スイッチ
１２１  送信ＣＡＬ系受信部
１２２  受信スイッチ
１２３  受信ＣＡＬ系受信部
１２４  ＣＡＬ系アンテナ共用器
１２５  基準信号部
１４０  ＣＡＬ制御部
１５０  温度センサ
【図１】
2006087048.tif 000003
【図２】
2006087048.tif 000004
【図３】
2006087048.tif 000005